【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
柄の先端部に収穫袋を備え、この収穫袋の底部を開閉可能に形成するとともに、その収穫袋底部に、中間部で収穫した果実の溜まり部が形成できる長さの収穫ホースを、その一端で連結部片によって着脱可能に接続されていることを特徴とする果実収穫装置。
【請求項２】
前記収穫ホースは、中間部分を前記柄に支持されて、果実取出し口近傍に肩掛けバンドが付設されている請求項１に記載の果実収穫装置。
【手続補正２】
【補正対象書類名】明細書
【補正対象項目名】全文
【補正方法】変更
【補正の内容】
【発明の詳細な説明】
【発明の名称】果実収穫装置
【技術分野】
【０００１】
本発明は、作業者の身体に一部を保持させて果実の収穫作業を容易にする果実収穫装置に関するものである。
【背景技術】
【０００２】
従来、果実を収穫するには、一方の手で果実を掴みあるいは手籠で受けて、他方の手で鋏をもって果実の蔕の茎部を切断し、得られた果実を地上に置いた籠に収容している。このような手段では、収穫の都度腰を屈めるような動作を繰返すので、作業者の疲労が高まり、作業能率が低いという問題点がある。そこで、手持ちの網を長くして、収穫した果実をその網の下端部（底）を開いてそのまま別途籠内に投下させて収容するというような収穫用具が、例えば特許文献１あるいは特許文献２によって知られている。
【０００３】
【特許文献１】特開平８−３２２３６４号公報
【特許文献２】実開平５−９１２４８号公報
【発明の開示】
【発明が解決しようとする課題】
【０００４】
しかしながら、前記特許文献１または特許文献２によって知られる収穫用具にあっては、その収穫果実を受ける網とともに収容籠を移動させる必要があるので、収穫作業が傾斜地などでは収容籠を安定させるのに不便が伴い、この種収穫用具の使用に際しては作業者が安定位置で作業することが要求されるので、高所位置に成る果実を収穫するのに作業位置を変えて傾斜面を移動するような場合、収穫用具と収容籠との配置が都合よく対応できないことが生じて不都合である。したがって、収穫のために都合よい位置に自由に移動して果実を収穫することが困難であるという問題点がある。
【０００５】
本発明は、このような問題点を解決するためになされたもので、収容籠を持ち歩かずに、成熟した果実を求めて自由に移動して収穫作業が行える果実収穫装置を提供することを目的とするものである。
【課題を解決するための手段】
【０００６】
前記目的を達成するために、本発明の果実収穫装置は、
柄の先端部に収穫袋を備え、この収穫袋の底部を開閉可能に形成するとともに、その収穫袋底部に、中間部で収穫した果実の溜まり部が形成できる長さの収穫ホースを、その一端で連結部片によって着脱可能に接続されていることを特徴とするものである（第１発明）。
【０００７】
前記収穫ホースは、中間部分を前記柄に支持されて、果実取出し口近傍に肩掛けバンドが付設されているのがよい（第２発明）。
【発明の効果】
【０００８】
本発明においては、収穫袋に繋いだ長い収穫ホースの出口側を肩掛けバンドに連結して、その肩掛けバンドを作業者の肩に掛け、柄を持って収穫袋を目的果実の下側に位置させて果樹から果実を取り落すと、果実が収穫袋内に受け入れられてそのまま収穫袋につながる収穫ホース内に落下する。収穫ホースの出口側が予め持上げていることにより、収穫ホースの中間部に弛み部が形成されるので、この弛み部に収穫した果実を一旦集合させることができる。収穫ホースの弛み部に一時収穫した果実を溜めて、収穫量が多くなると、収容籠位置に移動して肩掛けバンドを外し、収穫ホースの出口を収容籠に下ろすと収容されていた収穫果実を移し替えることができる。したがって、収穫袋と収穫ホースが作業者とともに移動して収穫作業を行えると同時に、収穫した果実を都度収容籠に収容することなく継続的に収穫作業を行えるのである。
【０００９】
本発明によれば、収穫ホースの弛み部に所要量収穫果実が溜まるまで連続の収穫操作で自由な行動範囲での収穫作業を行うことができ、まとめて収容籠に移し替えることができるので、作業能率が著しく向上するのである。また、収穫ホースの出口側を肩掛けバンドに繋いで作業者の身体に保持させるようにすることで、作業者はこの果実収穫装置を両手で自由に操ることができるから、樹木の高所位置に成る果実など収穫条件のよくない箇所のものでも自由な行動で収穫操作が容易になるという利点がある。したがって、みかん、梅、柿など中小の果実で表皮が比較的硬い果実を収穫する場合に使用して有効である。
【００１０】
一方、桃、イチジクなど表皮が傷み易い果実の場合は、収穫袋から収穫ホースを取り外し、この収穫袋の底を閉じて収穫操作を行うようにできる。こうすると、個々に収穫することになるので、収穫した果実同士を接触させて傷めることなく収穫することができる。
【発明を実施するための最良の形態】
【００１１】
次に、本発明に係る果実収穫装置の実施の形態について、図面を参照しつつ説明する。
【００１２】
図１には本発明に係る果実収穫装置の一実施形態を表わす全体側面図が示されている。図２には収穫ホースを取り外した状態での果実収穫装置を表わす図が示されている。
【００１３】
本実施形態の果実収穫装置は、収穫棒９（本発明における柄に相当）の先端部に、開口部が開閉可能な収穫袋１と、この収穫袋１が絞縮されると突き出す切断刃（図示省略）とが取付けられ、前記収穫袋１の底部は面ファスナー６によって開閉自在にされており、この収穫袋１の底部に果実が落下移動できる口径の収穫ホース２の一端が前記面ファスナー６（必要に応じてボタン掛けでもよい）を利用して着脱可能に連結されている。なお、この収穫袋１は滑らかな生地で形成されている。
【００１４】
前記収穫ホース２は、その全長が前記柄９の長さ寸法よりも十分長くして、下流側の端部を果実出口４とされ、この果実出口４の外側に取扱う作業者の肩に掛けることができる寸法の肩掛けバンド３が止め金８によって着脱可能に取付けられている。また、この収穫ホース２は、前記収穫袋１と同様に滑らかな生地で形成され、中間部に複数のホース支え７を所要間隔で取付けて収穫棒９に支持されている。なお、このホース支え７は収穫棒９に対して外嵌し、収穫ホース２を使用しないときには、図２にて示されるように、取り外しできる構造とされている。また、この収穫ホース２は、一端を収穫袋１に連結されて前記複数のホース支え７によって中間部が収穫棒９に支持された状態で、肩掛けバンド３を備える果実出口４を持上げた状態にすると、図１に示されるように最終位置のホース支え７と果実出口４との間に自動的に弛み部５が形成されるようになされている。
【００１５】
このように形成された本実施形態の果実収穫装置は、例えばみかん，柿，梅など中小の果実の収穫に際しては、図１で示されるように、収穫袋１の底部に収穫ホース２を接続した状態使用する。使用時には収穫ホース２の果実出口４側に止め金８で肩掛けバンド３を取付けて、作業者がその肩掛けバンド３を肩に掛け、収穫棒９を手で持って収穫作業を行うようにする。こうすることにより、収穫ホース２の下部に弛み部５が形成されるので、収穫袋１内に受け入れた収穫果実はその収穫袋１内から収穫ホース２内に落下して前記弛み部５（本発明の溜まり部に対応）に集められる。
【００１６】
このように、収穫した果実をある程度収穫ホース２に形成される弛み部５に集めて作業ができるので、作業者は自由な行動範囲での収穫作業を行うことができ、しかも連続して果実の収穫が行えるので、作業能率が向上する。収穫ホース２の弛み部５に収穫した果実が溜まると、別途位置に置かれている収容籠位置に移動して、収穫ホースに溜められた果実を払い出す。この際、作業者は、肩掛けバンド３と収穫ホース２を繋ぐ止め金８を外すことにより収穫ホース２の果実出口４がフリーになるので、この果実出口４を収容籠（図示せず）内に下ろすと弛み部５に溜まっている収穫した果実を放出することができる。なお、収穫ホース２の弛み部５から果実を放出する際、作業者が肩掛けバンド３を肩から下ろすようにして果実出口４を下げるようにしてもよい。こうして収穫した果実を収容籠に移した後は、再び元の姿勢に戻すことで収穫作業を継続することができる。
【００１７】
以上は中小の果実の収穫作業に対応する態様について記載したが、例えば、桃，イチジクなどの表皮が傷み易い果実や大型の果実の収穫に際しては、収穫時に果実を落下させると不都合であるので、果実を個々に収穫する。この場合は、図２に示されるように、収穫ホース２を外して、収穫袋１の底を閉じ、収穫棒９の先端に付した収穫袋１のみで目的に果実を収穫する。こうすると、収穫された果実が落下して表皮を傷めることなく収容できる。
【００１８】
このように、本実施形態の果実収穫装置は、収穫袋に収穫ホースを接続して使用すれば、連続して収穫操作が行え、収穫果実が傷み易いものである場合は収穫ホースを取り外して収穫袋の底を閉じて使用することにより果実を個々の収穫することができるので、収穫する果実に対応した使用ができるという利便性を備えているのである。
【図面の簡単な説明】
【００１９】
【図１】本実施形態の果実収穫装置を表わす全体図
【図２】収穫ホースを用いない態様の果実収穫装置の全体図
【符号の説明】
【００２０】
１        収穫袋
２        収穫ホース
３        肩掛けバンド
４        果実出口
５        収穫ホースの弛み部
６        面ファスナー
７        ホース支え
８        止め金
９        収穫棒